(57)【要約】【課題】座面と背もたれ間の角度を可変に調整するリクライニング可能な座浴用車椅子を提供する。【解決手段】走行体５０といすユニット１とからなる。いすユニット１は、座面２と背もたれ３と、座面２を前後方向にスライドさせるスライドガイドと、座面２のスライド動作に連動して背もたれ３を傾動させるリンク機構６０と、座面２を任意のスライド位置でロックするロック手段とを備える。座面２をスライドガイドで案内して前後にスライドさせるとリンク機構６０を介して背もたれ３も傾動するので被介護者にとって快適なリクライニング角度に調整することができる。座面２を前方に出すとリクライニング角度が大きくなり、座面２を後方に引き込めるとリクライニング角度が小さくなるので、被介護者が苦痛を感じることなく、快適に座浴できる。【選択図】図１
2016022185.tif 000002
【特許請求の範囲】
【請求項１】
走行体といすユニットとからなり、
前記走行体は、走行フレームと該走行フレームに取付けられた車輪とからなり、
前記いすユニットは、
座面と背もたれと、前記座面を前後方向にスライドさせるスライドガイドと、前記座面のスライド動作に連動して前記背もたれを傾動させるリンク機構と、前記座面を任意のスライド位置でロックするロック手段とを備える
ことを特徴とする座浴用車椅子。
【請求項２】
前記リンク機構は、前記座面を前方にスライドさせると前記背もたれを後傾させ、前記座面が後方にスライドさせると前記背もたれを前傾させるリンクからなる
ことを特徴とする請求項１記載の座浴用車椅子。
【請求項３】
前記スライドガイドは、
前記座面の下方で前後に延びるように配置されたガイドレールと、
前記座面に取付けられたローラであって前記ガイドレールで案内されて転動するガイドローラとからなる
ことを特徴とする請求項１または２記載の座浴用車椅子。
【請求項４】
前記ロック手段は、
前記ガイドレールにおいて前後方向に間隔をあけて形成された複数個のピン孔と、
前記座面に取付けられ、任意のピン孔に挿入されるロックピンとからなる
ことを特徴とする請求項１、２または３記載の座浴用車椅子。
【請求項５】
前記走行体には前記いすユニットを着脱自在に係合するキャッチが取付けられており、該キャッチは、前記いすユニットを前記走行体上に下降させるとキャッチがいすユニット側との被キャッチ部材を受け入れて係合し、前記いすユニットを前記走行体上から上昇させると、キャッチが前記被キャッチ部材を開放するものである
ことを特徴とする請求項１〜３または４記載の座浴用車椅子。
【請求項６】
前記キャッチに、前記被キャッチ部材を受け入れて係合した係合状態を保持したり解放するロック機構を取付けた
ことを特徴とする請求項５記載の座浴用車椅子。
【発明の詳細な説明】
【技術分野】
【０００１】
本発明は、座浴用車椅子に関する。さらに詳しくは、介護施設や病院等で老人や病人等の被介護者を入浴槽に椅子に乗せたまま搬入するための座浴用車椅子に関する。
【背景技術】
【０００２】
座浴用車椅子は被介護者を乗せた状態でスロープ付きの大型浴槽に座浴用車椅子ごと入っていったり、あるいは、被介護者を乗せたいすユニットを走行体から分離させて個人用浴槽にリフト等で搬入させるようにして用いられる。
【０００３】
一方、老人や病人等の被介護者には、太った人や痩せた人、背の高い人や低い人など体格は様々であるが、上記座浴用車椅子における座面と背もたれ間の角度はほぼ直角で固定されたものであった。
この場合、太った人や痩せていても腹が膨れた人は椅子に座るだけで腹部を圧迫するので苦痛を感じていた。
【０００４】
特許文献１、２の従来技術は、リクライニング可能にした車いすを提案しているが、座面と背もたれ間の角度は固定のままで変更できず、固定された角度を保った状態で、座面と背もたれが前後方向に傾動するものであった。このような前後方向の傾動をリクライニングと説明されているが、座面と背もたれ間の角度がほぼ直角のままなので、真の意味のリクライニングはできない。ゆえに、太った人や腹の出た人は、やはり苦痛を感じざるを得なかった。
【先行技術文献】
【特許文献】
【０００５】
【特許文献１】特開平１１−２０６８１６号公報
【特許文献２】特開２００９−１１２６８９号公報
【発明の概要】
【発明が解決しようとする課題】
【０００６】
本発明は上記事情に鑑み、座面と背もたれ間の角度を可変に調整するリクライニング可能な座浴用車椅子を提供することを目的とする。
【課題を解決するための手段】
【０００７】
第１発明の座浴用車椅子は、走行体といすユニットとからなり、前記走行体は、走行フレームと該走行フレームに取付けられた車輪とからなり、前記いすユニットは、座面と背もたれと、前記座面を前後方向にスライドさせるスライドガイドと、前記座面のスライド動作に連動して前記背もたれを傾動させるリンク機構と、前記座面を任意のスライド位置でロックするロック手段とを備えることを特徴とする。
第２発明の座浴用車椅子は、第１発明において、前記リンク機構は、前記座面を前方にスライドさせると前記背もたれを後傾させ、前記座面が後方にスライドさせると前記背もたれを前傾させるリンクからなることを特徴とする。
第３発明の座浴用車椅子は、第１または第２発明において、前記スライドガイドは、前記座面の下方で前後に延びるように配置されたガイドレールと、前記座面に取付けられたローラであって前記ガイドレールで案内されて転動するガイドローラとからなることを特徴とする。
第４発明の座浴用車椅子は、第１、第２または第３発明において、前記ロック手段は、前記ガイドレールにおいて前後方向に間隔をあけて形成された複数個のピン孔と、前記座面に取付けられ、任意のピン孔に挿入されるロックピンとからなることを特徴とする。
第５発明の座浴用車椅子は、第１〜３または第４発明において、前記走行体には前記いすユニットを着脱自在に係合するキャッチが取付けられており、該キャッチは、前記いすユニットを前記走行体上に下降させるとキャッチがいすユニット側との被キャッチ部材を受け入れて係合し、前記いすユニットを前記走行体上から上昇させると、キャッチが前記被キャッチ部材を開放するものであることを特徴とする。
第６発明の座浴用車椅子は、第５発明において、前記キャッチに、前記被キャッチ部材を受け入れて係合した係合状態を保持したり解放するロック機構を取付けたことを特徴とする。
【発明の効果】
【０００８】
第１発明によれば、いすユニットに走行体が付いているので、人を座らせた状態で移動したり、座浴させることができる。そして、座面をスライドガイドで案内して前後にスライドさせて被介護者の体格に合わせて調整するとリンク機構を介して背もたれも傾動するので被介護者にとって快適な座面と背もたれ間のリクライニング角度に自動調整することができ、被介護者が苦痛を感じることなく、快適に座浴できる。
第２発明によれば、座面を前方に出すと背もたれが後傾するので座面と背もたれ間のリクライニング角度が大きくなり、座面を後方に引き込めると背もたれとの間のリクライニング角度が小さくなるので、被介護者の体格に合わせた角度調整の自動化が可能となる。
第３発明によれば、座面側のローラがガイドレールで案内されて転動するので、座面のスライドが円滑かつ安定して行える。
第４発明によれば、ロックピンを差し込むピン孔を選択することにより座面を任意のスライド位置で固定でき、かつ任意のリクライニング角度に固定できるので、安全に利用することができる。
第５発明によれば、いすユニットを走行体上に下降させるだけでキャッチでいすユニットを走行体に固定でき、いすユニットを上昇させるだけでキャッチが解放するので、いすユニットを走行体から切り離していすユニットのみを浴槽に搬送することが容易に行える。
第６発明によれば、キャッチが被キャッチ部材を受け入れて係合した係合状態をロック機構でロックすれば、いすユニットを走行体に固定した状態で被介護者を搬送できるので、安全性が高い。
【図面の簡単な説明】
【０００９】
【図１】本発明の一実施形態に係る座浴用車椅子の側面図である。
【図２】図１に示す座浴用車椅子の正面図である。
【図３】図１に示す座浴用車椅子の平面図である。
【図４】キャッチ部分を示す座浴用車椅子の側面図である。
【図５】リクライニング状態における座浴用車椅子の側面図である。
【図６】リクライニング状態における座浴用車椅子の平面図である。
【発明を実施するための形態】
【００１０】
つぎに、本発明の実施形態を図面に基づき説明する。
図１〜図３に基づき、本実施形態の座浴用車椅子Ａの基本構成を説明する。
座浴用車椅子は走行体５０といすユニット１とからなる。
走行体５０は、走行フレーム５１とこの走行フレーム５１に取付けられた車輪５２とからなる。走行フレーム５１は任意の形状をとることができ、車輪５２も公知のキャスター等の車輪をとくに制限なく用いることができる。要は車椅子としての走行機能を有していればよい。走行フレーム５１の前方には公知のフットレスト５３が取付けられている。
【００１１】
前記いすユニット１は、座面２と背もたれ３とを有し、座面２は座面フレーム２０に取付けられ、背もたれ３は背もたれフレーム３０に取付けられている。
図２に示すように、背もたれフレーム３０は、２本の縦枠３１、３１を左右に離して立て、それらを上下に取付けた横板３３で固定したものである。なお、背もたれフレーム３０の上端部には、引掛けフック３４が取付けられている。これはリフト等でいすユニット１を吊上げ、浴槽に移動させるときに用いられる。
【００１２】
座面フレーム２０は２本の丸パイプ２１、２１からなりその基部は背もたれフレーム３０の縦枠３１の下端部に固定されている。また、丸パイプ２１、２１の先端部は横板２２で連結されている。
【００１３】
つぎに、本実施形態の座浴用車椅子Ａの特徴部分を構成する。
（スライドガイド）
座面フレーム２０の左右２本の丸パイプ２１、２１の内側には、それぞれガイドレール２３、２３が取付けられている。ガイドレール２３は断面コ形の金属材料である。
【００１４】
この座面フレーム２０の後端部と背もたれフレーム３０の下端部とは、互いにピン２５で連結されている。この座面フレーム２０と背もたれフレーム３０との間の角度は固定であって、ほぼ直角である。
【００１５】
座面２の下面にはブラケットを介してローラ２４、６３が取付けられている。ローラ２４、６３は左右のガイドレールに対応して２列設けられかつ、前後に１個づつ、計４個設けられている。このローラ２４、６３はガイドレール２３内を転動する。
このローラ２４、６３とガイドレール２３とで、特許請求の範囲にいうスライドガイドが構成されている。
【００１６】
（ロック手段）
図１は座面２を引き込めた状態を示し、図５は座面２を引き出した状態を示している。
このような座面２のスライド位置をロックするロック装置が設けられている。
座面２の下面にブラケットを介してピン装置４１が取付けられている。座面フレーム２０の丸パイプ２１にはピン孔４２が形成されている。このピン孔４２は、丸パイプ２１の長手方向において、間隙をあけて３カ所形成されているが、２カ所以下であってもよく、４カ所以上であってもよい。
【００１７】
ピン装置４１はスプリング等でピンを押込み付勢しているが、グリップ４３を人の手で引っ張るとピン孔４２との係合を外せるものである。したがって、ピン孔４２を選択することにより、座面２の引き出し状態（図５）、引き込み状態（図１）、およびその中間状態に固定することができる。
【００１８】
背もたれ３は、パイプ３ａで長四角形に形成しシートや板等が取付けられる。その構造は任意である。この背もたれ３は、その上端部が軸３６で背もたれフレーム３０の上端部に傾動自在に取付けられている。３７は、背もたれ３の両側に取付けられた手すりである。
【００１９】
（リンク機構）
座面２と背もたれ３との間にはリンク機構６０が取付けられている。６１はリンクであって、そのリンク６１の上端が背もたれ３の下端部にピン６２で連結され、下端が座面２の後端部にピンでローラ６３が連結されている。
このため、座面２を前方に出すと背もたれ３が後傾するので座面２と背もたれ３間のリクライニング角度が大きくなり、座面２を後方に引き込めると背もたれ３との間のリクライニング角度が小さくなる。すなわち、座面２を引き戻しているときの背もたれ３との間の角度Ｑは、約９５°〜１００°であるが、座面２を引き出したときの背もたれ３との間の角度Ｑは１０５°〜１１０°位に大きくなる。このため、介護者の体格に合わせた角度調整が可能となる。
【００２０】
（キャッチ）
図３および図４に示すように、走行フレーム５１の左右の上面にはキャッチ７０が取付けられている。また、座面フレーム２０の下面には被キャッチ部材であるキャッチ棒７１が取付けられている。
前記キャッチ７０は、キャッチ棒７１が下降してくると係止爪７２、７３が閉じてキャッチし、キャッチ棒７１が上昇していくとき係止爪７２、７３が開いてキャッチを解除するものである。
上記キャッチ７０により、いすユニット１を上昇させれば走行フレーム５１から切り離すことができ、いすユニット１を下降させれば走行フレーム５１にいすユニット１を固定することができる。
【００２１】
前記キャッチ７０には、ロック機構を取付けるのが好ましい。このロック機構は、キャッチ７０にキャッチ棒７１が係合された状態にロックしたり解放できるものであれば、どのようなものでもよい。たとえば、係止爪７２、７３を閉じた状態に保持したり開放した状態に保持することが選択できるものであったり、あるいは棒状や板状のロック用部材を挿入離脱させてキャッチ棒７１のキャッチ７０からの離間を拘束したり解放できるものであればよい。
【００２２】
上記のようなロック機構を用いれば、キャッチ７０にキャッチ棒７１が係合した状態に保持することができる。この状態では、いすユニット１が走行体５０に固定されているので、被介護者をいすユニット１に乗せて押して搬送するとき、いすユニット１が外れないので安全性が高くなる。
【００２３】
つぎに、本実施形態の座浴用車椅子の利用方法を説明する。
いすユニット１に走行体５０が付いているので、人を座らせた状態で移動したり、大型浴槽に移動させて座浴させることができる。また、被介護者を座らせたいすユニット１のみを入浴設備のリフトで吊り上げて、小型浴槽に搬入搬出することもできる。
この作業の際には、いすユニット１を走行体５０上に下降させるだけでキャッチ７０でいすユニット１を走行体５０に固定でき、いすユニット１を上昇させるだけでキャッチ７０が解放するのでいすユニット１を走行体５０から切り離し、いすユニット１のみを浴槽に搬送することが容易となる。
【００２４】
つぎに、本実施形態におけるリクライニング機能の利点を説明する。
（１）座面２をスライドガイドで案内して前後にスライドさせることができる。図６に示す符号Ｆがスライド可能な間隔である。
このようにして、被介護者の体格に合わせて座面２の位置を調整するとリンク機構６０を介して背もたれ３も傾動するので被介護者にとって快適な座面２と背もたれ３間のリクライニング角度に調整することができる。この調整角度は１０５°〜１１０°位であるが、スライド幅を大きくすれば、もっと大きな角度を支えることができる。したがって、体格が異なっていても、被介護者が腹部を圧迫するような苦痛を感じることなく、快適に座浴できる。
【００２５】
（２）座面２を前方に出すと背もたれ３が後傾するので座面２と背もたれ３間の角度が大きくなり、座面２を後方に引き込めると背もたれ３との間の角度が小さくなるので、被介護者の体格に合わせた角度調整が可能となる。
（３）座面２側のローラ２４がガイドレール２３で案内されて転動するので、座面２のスライドが円滑かつ安定して行える。
【００２６】
（４）ピン装置４１のロックピンを差し込むピン孔４２を選択することにより座面２を任意のスライド位置で固定でき、かつ任意のリクライニング角度に固定できるので、安全に利用することができる。
【産業上の利用可能性】
【００２７】
本発明の座浴用車椅子は介護施設や病院等で主に利用されるが、家庭用等にも利用することができる。
【符号の説明】
【００２８】
１    いすユニット
２    座面
３    背もたれ
２０  座面フレーム
３０  背もたれフレーム
５０  走行体
６０  リンク機構
７０  キャッチ
【図１】
2016022185.tif 000003
【図２】
2016022185.tif 000004
【図３】
2016022185.tif 000005
【図４】
2016022185.tif 000006
【図５】
2016022185.tif 000007
【図６】
2016022185.tif 000008
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
走行体といすユニットとからなり、
前記走行体は、走行フレームと該走行フレームに取付けられた車輪とからなり、
前記いすユニットは、
座面と背もたれと、前記座面を前後方向にスライドさせるスライドガイドと、前記座面のスライド動作に連動して前記背もたれを傾動させるリンク機構と、
前記座面を任意のスライド位置でロックするロック手段とを備えており、
前記リンク機構は、前記座面を前方にスライドさせると前記背もたれを後傾させ、また前記座面を後方にスライドさせると前記背もたれを前傾させ、前記座面と前記背もたれとの間のリクライニング角度を変更するように、前記座面と前記背もたれとの間に介装されたリンクからなる
ことを特徴とする座浴用車椅子。
【請求項２】
前記スライドガイドは、
前記座面の下方で前後に延びるように配置されたガイドレールと、
前記座面に取付けられたローラであって前記ガイドレールで案内されて転動するガイドローラとからなる
ことを特徴とする請求項１記載の座浴用車椅子。
【請求項３】
前記ロック手段は、
前記ガイドレールにおいて前後方向に間隔をあけて形成された複数個のピン孔と、
前記座面に取付けられ、任意のピン孔に挿入されるロックピンとからなる
ことを特徴とする請求項２記載の座浴用車椅子。
【請求項４】
前記走行体には前記いすユニットを着脱自在に係合するキャッチが取付けられており、該キャッチは、前記いすユニットを前記走行体上に下降させるとキャッチがいすユニット側との被キャッチ部材を受け入れて係合し、前記いすユニットを前記走行体上から上昇させると、キャッチが前記被キャッチ部材を開放するものである
ことを特徴とする請求項１、２または３記載の座浴用車椅子。
【請求項５】
前記キャッチに、前記被キャッチ部材を受け入れて係合した係合状態を保持したり解放するロック機構を取付けた
ことを特徴とする請求項４記載の座浴用車椅子。
【手続補正２】
【補正対象書類名】明細書
【補正対象項目名】０００７
【補正方法】変更
【補正の内容】
【０００７】
第１発明の座浴用車椅子は、走行体といすユニットとからなり、前記走行体は、走行フレームと該走行フレームに取付けられた車輪とからなり、前記いすユニットは、座面と背もたれと、前記座面を前後方向にスライドさせるスライドガイドと、前記座面のスライド動作に連動して前記背もたれを傾動させるリンク機構と、前記座面を任意のスライド位置でロックするロック手段とを備えており、前記リンク機構は、前記座面を前方にスライドさせると前記背もたれを後傾させ、また前記座面を後方にスライドさせると、前記背もたれを前傾させ前記座面と前記背もたれとの間のリクライニング角度を変更するように、前記座面と前記背もたれとの間に介装されたリンクからなることを特徴とする。
第２発明の座浴用車椅子は、第１発明において、前記スライドガイドは、前記座面の下方で前後に延びるように配置されたガイドレールと、前記座面に取付けられたローラであって前記ガイドレールで案内されて転動するガイドローラとからなることを特徴とする。
第３発明の座浴用車椅子は、第２発明において、前記ロック手段は、前記ガイドレールにおいて前後方向に間隔をあけて形成された複数個のピン孔と、前記座面に取付けられ、任意のピン孔に挿入されるロックピンとからなることを特徴とする。
第４発明の座浴用車椅子は、第１、２または第３発明において、前記走行体には前記いすユニットを着脱自在に係合するキャッチが取付けられており、該キャッチは、前記いすユニットを前記走行体上に下降させるとキャッチがいすユニット側との被キャッチ部材を受け入れて係合し、前記いすユニットを前記走行体上から上昇させると、キャッチが前記被キャッチ部材を開放するものであることを特徴とする。
第５発明の座浴用車椅子は、第４発明において、前記キャッチに、前記被キャッチ部材を受け入れて係合した係合状態を保持したり解放するロック機構を取付けたことを特徴とする。
【手続補正３】
【補正対象書類名】明細書
【補正対象項目名】０００８
【補正方法】変更
【補正の内容】
【０００８】
第１発明によれば、つぎの効果を奏する。
ａ）いすユニットに走行体が付いているので、人を座らせた状態で移動したり、座浴させることができる。そして、座面をスライドガイドで案内して前後にスライドさせて被介護者の体格に合わせて調整するとリンク機構を介して背もたれも傾動するので被介護者にとって快適な座面と背もたれ間のリクライニング角度に自動調整することができ、被介護者が苦痛を感じることなく、快適に座浴できる。
ｂ）リンク機構のリンクにより、座面を前方に出すと背もたれが後傾するので座面と背もたれ間のリクライニング角度が大きくなり、座面を後方に引き込めると背もたれとの間のリクライニング角度が小さくなるので、被介護者の体格に合わせた角度調整の自動化が可能となる。
第２発明によれば、座面側のローラがガイドレールで案内されて転動するので、座面のスライドが円滑かつ安定して行える。
第３発明によれば、ロックピンを差し込むピン孔を選択することにより座面を任意のスライド位置で固定でき、かつ任意のリクライニング角度に固定できるので、安全に利用することができる。
第４発明によれば、いすユニットを走行体上に下降させるだけでキャッチでいすユニットを走行体に固定でき、いすユニットを上昇させるだけでキャッチが解放するので、いすユニットを走行体から切り離していすユニットのみを浴槽に搬送することが容易に行える。
第５発明によれば、キャッチが被キャッチ部材を受け入れて係合した係合状態をロック機構でロックすれば、いすユニットを走行体に固定した状態で被介護者を搬送できるので、安全性が高い。